(57)【要約】【課題】  ＩＣコインを使ってパチンコ玉等を貸し出す貸出機において、金銭の取引における正当性を確保する。【解決手段】  論理マネー管理装置８０には、ＩＣコインのＩＤコードに対応する論理マネー口座を備え、現金識別機４１に投入された現金を所定の取引単位の論理マネーに分割し、それぞれ固有のシリアル番号を付加して上述の論理マネー口座に記憶させる。取引毎の履歴からシリアル番号をトレースして、異常の発生源を特定でき、取引上の正当性を保証する。【選択図】  図４
2006149526.tif 000002
【特許請求の範囲】
【請求項１】
遊技に使用可能な有価価値を示す情報である論理マネーを、遊技用記憶媒体に記憶される固有の識別コードからアドレスが特定される情報記憶領域である論理マネー口座において記憶し管理する論理マネー記憶手段を装備する論理マネー管理装置と、
前記遊技用記憶媒体の投入に応じて前記識別コードを読み取り前記論理マネー管理装置へ当該識別コードを送信し、当該論理マネー管理装置から返信された論理マネーの有価価値に基づく数量の遊技媒体を払い出す複数の遊技媒体払出装置とを備える遊技媒体貸出システムであって、
前記論理マネー管理装置は、前記論理マネーを所定の取引単位に分割し、分割した各論理マネーにそれぞれ固有の識別データを付与して前記論理マネー口座に記憶し管理することを特徴とする遊技媒体貸出システム。
【請求項２】
前記遊技媒体払出装置は、投入された現金の金額情報とともに読み取った前記遊技用記憶媒体の識別コードを前記論理マネー管理装置へ送信し、
前記論理マネー管理装置は、受信した金額情報が示す金額を前記所定の取引単位に分割して生成した各論理マネーと、当該各論理マネーに付与した前記固有の識別データとを、当該遊技用記憶媒体の識別コードから特定される前記論理マネー口座にそれぞれ記憶し管理することを特徴とする請求項１に記載の遊技媒体貸出システム。
【請求項３】
前記論理マネー管理装置には、前記各所定の取引単位の論理マネーを介して、一の前記遊技媒体払出装置との間で交わされる取引の度に、取引した当該遊技用記憶媒体の識別コードと、取引した当該論理マネーの識別データと、取引した日時と、取引した当該遊技媒体払出装置の識別情報とを少なくとも含む取引履歴を記録する取引履歴記録手段を、更に備えることを特徴とする請求項１又は２に記載の遊技媒体貸出システム。
【請求項４】
現金の投入を受けて新規に前記遊技用記憶媒体を発行する遊技用記憶媒体発行装置を更に備える請求項１〜３の何れか１項に記載の遊技媒体貸出システムであって、
前記遊技用記憶媒体発行装置は、投入された現金の金額情報とともに発行を予定する前記遊技用記憶媒体の識別コードを前記論理マネー管理装置に送信し、
前記論理マネー管理装置は、受信した金額情報が示す金額を前記所定の取引単位に分割して生成した各論理マネーと、当該各論理マネーに付与した前記固有の識別データとを、当該遊技用記憶媒体の識別コードから特定される論理マネー口座にそれぞれ記憶し管理することを特徴とする遊技媒体貸出システム。
【請求項５】
投入された前記遊技用記憶媒体が保有する有価価値を当該遊技用記憶媒体の投入者に返却する預り金返却装置を更に備える請求項１〜４の何れか１項に記載の遊技媒体貸出システムであって、
前記預り金返却装置は、投入された前記遊技用記憶媒体の識別コードを前記論理マネー管理装置に送信し、これに応じて前記論理マネー管理装置から返信される、当該遊技用記憶媒体の識別コードに対応する論理マネー口座に記憶された論理マネーに基づいて、当該返却された論理マネーの総額に相当する現金を払い出すことを特徴とする遊技媒体貸出システム。
【請求項６】
前記遊技用記憶媒体発行装置を使用する人物、及び前記遊技媒体払出装置を使用する人物を撮像する監視カメラと、前記監視カメラによる撮像データとともに、少なくとも当該監視カメラが撮像した日時データを記録する撮像データ記録装置とを更に備えることを特徴とする請求項４に記載の遊技媒体貸出システム。
【請求項７】
前記預り金返却装置を使用する人物、及び前記遊技媒体払出装置を使用する人物を撮像する監視カメラと、前記監視カメラによる撮像データとともに、少なくとも当該監視カメラが撮像した日時データを記録する撮像データ記録装置とを更に備えることを特徴とする請求項５に記載の遊技媒体貸出システム。
【請求項８】
前記遊技用記憶媒体は、固有の前記識別コードを記憶するＩＣメモリチップを内包し無線通信によりその記憶内容が読み出されるＩＣコインであることを特徴とする請求項１〜７の何れか１項に記載の遊技媒体貸出システム。
【請求項９】
遊技に使用可能な有価価値を示す情報である論理マネーを、遊技用記憶媒体に記憶される固有の識別コードからアドレスが特定される情報記憶領域である論理マネー口座において記憶し管理する論理マネー記憶手段を装備する論理マネー管理装置と、前記遊技用記憶媒体又は現金の投入に応じて遊技媒体を払い出す複数の遊技媒体払出装置とを備える遊技媒体貸出システムにおける預り金管理方法であって、
前記遊技媒体払出装置において、前記遊技用記憶媒体が投入されるに応じて前記識別コードを読み取るステップと、
読み取った当該識別コードを前記論理マネー管理装置へ送信するステップと、
前記論理マネー管理装置において、受信した当該識別コードの遊技用記憶媒体が保有する論理マネーを所定の取引単位に分割するステップと、
分割した各論理マネーにそれぞれ固有の識別データを対応付けて、受信した当該識別コードから特定される前記論理マネー口座に記憶するステップとを備えることを特徴とする遊技媒体貸出システムにおける預り金管理方法。
【請求項１０】
遊技に使用可能な有価価値を示す情報である論理マネーを、遊技用記憶媒体に記憶される固有の識別コードからアドレスが特定される情報記憶領域である論理マネー口座において記憶し管理する論理マネー記憶手段を装備する論理マネー管理装置と、前記遊技用記憶媒体又は現金の投入に応じて遊技媒体を払い出す複数の遊技媒体払出装置とを備える遊技媒体貸出システムにおける預り金管理方法であって、
前記遊技媒体払出装置において、前記遊技用記憶媒体が投入されるに応じて前記識別コードを読み取るステップと、
読み取った当該識別コードとともに、投入された現金の金額情報を前記論理マネー管理装置へ送信するステップと、
前記論理マネー管理装置において、受信した金額情報が示す金額を所定の取引単位に分割して論理マネーを生成するステップと、
受信した当該識別コードから特定される前記論理マネー口座に、分割した各論理マネーにそれぞれ固有の識別データを対応付けて記憶するステップとを備えることを特徴とする遊技媒体貸出システムにおける預り金管理方法。
【請求項１１】
前記論理マネー管理装置において、前記各所定の取引単位の論理マネーを介して、一の前記遊技媒体払出装置との間で交わされる取引の度に、取引した当該遊技用記憶媒体の識別コードと、取引した当該論理マネーの識別データと、取引した日時と、取引した当該遊技媒体払出装置の識別情報とを少なくとも含む取引履歴を取引履歴記録手段に記録するステップを更に備えることを特徴とする請求項９又は１０に記載の遊技媒体貸出システムにおける預り金管理方法。
【請求項１２】
現金の投入を受けて新規に前記遊技用記憶媒体を発行する遊技用記憶媒体発行装置において、
投入された現金を識別するステップと、
識別した現金の金額情報とともに発行を予定する前記遊技用記憶媒体の識別コードを前記論理マネー管理装置へ送信するステップと、
前記論理マネー管理装置において、
当該遊技用記憶媒体発行装置から受信した金額情報が示す金額を前記所定の取引単位に分割して論理マネーを生成するステップと、
当該遊技用記憶媒体発行装置から受信した当該識別コードから特定される論理マネー口座に分割した各論理マネーにそれぞれ固有の識別データを対応付けて記憶するステップとを更に備えることを特徴とする請求項９〜１１の何れか１項に記載の遊技媒体貸出システムにおける預り金管理方法。
【請求項１３】
投入された前記遊技用記憶媒体が保有する有価価値を当該遊技用記憶媒体の投入者に返却する預り金返却装置において、
前記遊技用記憶媒体が投入されるに応じて前記識別コードを読み取るステップと、
読み取った当該識別コードを前記論理マネー管理装置に送信するステップと、
前記論理マネー管理装置において、前記預り金返却装置から受信した識別コードに対応する論理マネー口座に記憶された論理マネーを当該預り金返却装置へ返信するステップと、
当該預り金返却装置において、返信された論理マネーの総額に相当する現金を払い出すステップとを更に備えることを特徴とする請求項９〜１２の何れか１項に記載の遊技媒体貸出システムにおける預り金管理方法。
【請求項１４】
前記遊技用記憶媒体発行装置を使用する人物、及び前記遊技媒体払出装置を使用する人物を撮像する監視カメラによる撮像データとともに、少なくとも当該監視カメラが撮像した日時データを撮像データ記録装置に記録するステップを更に備えることを特徴とする請求項１２に記載の遊技媒体貸出システムにおける預り金管理方法。
【請求項１５】
前記預り金返却装置を使用する人物、及び前記遊技媒体払出装置を使用する人物を撮像する監視カメラによる撮像データとともに、少なくとも当該監視カメラが撮像した日時データを撮像データ記録装置に記録するステップを更に備えることを特徴とする請求項１３に記載の遊技媒体貸出システムにおける預り金管理方法。
【請求項１６】
前記遊技用記憶媒体は、固有の前記識別コードを記憶するＩＣメモリチップを内包し無線通信によりその記憶内容が読み出されるＩＣコインであることを特徴とする請求項９〜１５の何れか１項に記載の遊技媒体貸出システムにおける預り金管理方法。
【発明の詳細な説明】
【技術分野】
【０００１】
本発明は、例えばパチンコ遊技場等の遊技施設で利用される遊技用記憶媒体を利用した遊技媒体貸出システムに関する。
【背景技術】
【０００２】
従来、スロットマシンやパチンコ機等の遊技機には、プリペイドカードやＩＣコイン等の遊技用記憶媒体を利用しその遊技に使用するメダルやパチンコ玉等の遊技媒体を貸出す貸出機が付設されている。
【０００３】
このような遊技媒体を貸し出すシステムとしては、例えば特許文献１に開示されているように遊技用記憶媒体として遊技に使用する有価価値を示す情報（遊技価値）が記憶されたものを用い、貸出機の内部に前記遊技用記憶媒体との間でデータの授受を行うデータアクセス装置を備え、前記貸出機に前記遊技用記憶媒体が挿入されることで、前記貸出機が前記遊技用記憶媒体から前記データアクセス装置を通じて読み込んだ有価価値を示す情報の範囲内の個数の遊技媒体を遊技媒体放出部から放出するものが提案されている。
【０００４】
しかしながら、特許文献１に記載された遊技媒体貸出システムでは、遊技用記憶媒体自体に上述の遊技価値が記憶されているため、情報の不正な改ざん等の慮があった。このため、ホールによっては遊技用記憶媒体を店舗外へ持ち出しを禁止する等、安全を確保する上で制約が多く、使い勝手が良いものではなかった。
【０００５】
また、近年では、遊技用記憶媒体に個別のＩＤコードを付し、遊技媒体貸出機が遊技用記憶媒体に記憶されたＩＤコード及び有価価値を示す情報を読み取って管理コンピュータが管理することで、個々の遊技用記憶媒体に記憶された遊技価値を管理する方策が提案されている（例えば特許文献２参照）。
【０００６】
【特許文献１】特許第２８９２１２６号公報
【特許文献２】特開２００３−９３４号公報
【発明の開示】
【発明が解決しようとする課題】
【０００７】
ところで、遊技用記憶媒体のＩＤコードに基づいて、個々の遊技用記憶媒体が保有する遊技価値を記憶管理する上述した従来の技術によれば、遊技価値を示す情報は、単なる値として取り扱われる。しかし、例えば価値情報に係るデータの送受信を行う貸出機と管理コンピュータ間において、データの改ざん等の不正なアクセスがされた場合、どの取引の段階でデータに異常が発生したか特定できず、また、取引上のデータの異常の検知が困難であり、取引における正当性が失われる虞があった。
【０００８】
本発明は、こうした従来の問題に鑑みてなされたものであり、遊技用記憶媒体を介して管理コンピュータとの間で取引された金銭に応じて遊技媒体を貸し出す遊技媒体貸出システムであって、金銭取引上の正当性を確保し、また金銭等の不正な搾取を防止する等の安全性を高めた遊技媒体貸出システムを提供することを目的としている。
【課題を解決するための手段】
【０００９】
上述した課題を解決するため、請求項１に記載の発明は、遊技に使用可能な有価価値を示す情報である論理マネーを、遊技用記憶媒体に記憶される固有の識別コードからアドレスが特定される情報記憶領域である論理マネー口座において記憶し管理する論理マネー記憶手段を装備する論理マネー管理装置と、前記遊技用記憶媒体の投入に応じて前記識別コードを読み取り前記論理マネー管理装置へ当該識別コードを送信し、当該論理マネー管理装置から返信された論理マネーの有価価値に基づく数量の遊技媒体を払い出す複数の遊技媒体払出装置とを備える遊技媒体貸出システムであって、前記論理マネー管理装置は、前記論理マネーを所定の取引単位に分割し、分割した各論理マネーにそれぞれ固有の識別データを付与して前記論理マネー口座に記憶し管理することを特徴とする。
【００１０】
前記論理マネー管理装置としては、ホールの集中管理コンピュータ等を用いる。
前記遊技用記憶媒体としては、プリペイドカードや遊技機用ＩＣコイン等を用いる。
前記遊技媒体としては、遊技に使用するメダルやパチンコ玉等を用いる。
前記遊技媒体払出装置としては、遊技に使用するメダルやパチンコ玉等の遊技媒体を貸出す貸出機等を用いる。
【００１１】
請求項２に記載の発明は、請求項１に記載の遊技媒体貸出システムであって、前記遊技媒体払出装置は、投入された現金の金額情報とともに読み取った前記遊技用記憶媒体の識別コードを前記論理マネー管理装置へ送信し、前記論理マネー管理装置は、受信した金額情報が示す金額を前記所定の取引単位に分割して生成した各論理マネーと、当該各論理マネーに付与した前記固有の識別データとを、当該遊技用記憶媒体の識別コードから特定される前記論理マネー口座にそれぞれ記憶し管理することを特徴とする。
【００１２】
請求項３に記載の発明は、請求項１又は２に記載の遊技媒体貸出システムであって、前記論理マネー管理装置には、前記各所定の取引単位の論理マネーを介して、一の前記遊技媒体払出装置との間で交わされる取引の度に、取引した当該遊技用記憶媒体の識別コードと、取引した当該論理マネーの識別データと、取引した日時と、取引した当該遊技媒体払出装置の識別情報とを少なくとも含む取引履歴を記録する取引履歴記録手段を、更に備えることを特徴とする。
【００１３】
請求項４に記載の発明は、現金の投入を受けて新規に前記遊技用記憶媒体を発行する遊技用記憶媒体発行装置を更に備える請求項１〜３の何れか１項に記載の遊技媒体貸出システムであって、前記遊技用記憶媒体発行装置は、投入された現金の金額情報とともに発行を予定する前記遊技用記憶媒体の識別コードを前記論理マネー管理装置に送信し、前記論理マネー管理装置は、受信した金額情報が示す金額を前記所定の取引単位に分割して生成した各論理マネーと、当該各論理マネーに付与した前記固有の識別データとを、当該遊技用記憶媒体の識別コードから特定される論理マネー口座にそれぞれ記憶し管理することを特徴とする。
【００１４】
請求項５に記載の発明は、投入された前記遊技用記憶媒体が保有する有価価値を当該遊技用記憶媒体の投入者に返却する預り金返却装置を更に備える請求項１〜４の何れか１項に記載の遊技媒体貸出システムであって、前記預り金返却装置は、投入された前記遊技用記憶媒体の識別コードを前記論理マネー管理装置に送信し、これに応じて前記論理マネー管理装置から返信される、当該遊技用記憶媒体の識別コードに対応する論理マネー口座に記憶された論理マネーに基づいて、当該返却された論理マネーの総額に相当する現金を払い出すことを特徴とする。
【００１５】
請求項６に記載の発明は、請求項４に記載の遊技媒体貸出システムであって、前記遊技用記憶媒体発行装置を使用する人物、及び前記遊技媒体払出装置を使用する人物を撮像する監視カメラと、前記監視カメラによる撮像データとともに、少なくとも当該監視カメラが撮像した日時データを記録する撮像データ記録装置とを更に備えることを特徴とする。
【００１６】
請求項７に記載の発明は、請求項５に記載の遊技媒体貸出システムであって、前記預り金返却装置を使用する人物、及び前記遊技媒体払出装置を使用する人物を撮像する監視カメラと、前記監視カメラによる撮像データとともに、少なくとも当該監視カメラが撮像した日時データを記録する撮像データ記録装置とを更に備えることを特徴とする。
【００１７】
請求項８に記載の発明は、請求項１〜７の何れか１項に記載の遊技媒体貸出システムであって、前記遊技用記憶媒体は、固有の前記識別コードを記憶するＩＣメモリチップを内包し無線通信によりその記憶内容が読み出されるＩＣコインであることを特徴とする。
【００１８】
請求項９に記載の発明は、遊技に使用可能な有価価値を示す情報である論理マネーを、遊技用記憶媒体に記憶される固有の識別コードからアドレスが特定される情報記憶領域である論理マネー口座において記憶し管理する論理マネー記憶手段を装備する論理マネー管理装置と、前記遊技用記憶媒体又は現金の投入に応じて遊技媒体を払い出す複数の遊技媒体払出装置とを備える遊技媒体貸出システムにおける預り金管理方法であって、前記遊技媒体払出装置において、前記遊技用記憶媒体が投入されるに応じて前記識別コードを読み取るステップと、読み取った当該識別コードを前記論理マネー管理装置へ送信するステップと、前記論理マネー管理装置において、受信した当該識別コードの遊技用記憶媒体が保有する論理マネーを所定の取引単位に分割するステップと、分割した各論理マネーにそれぞれ固有の識別データを対応付けて、受信した当該識別コードから特定される前記論理マネー口座に記憶するステップとを備えることを特徴とする。
【００１９】
前記論理マネー管理装置としては、ホールの集中管理コンピュータ等を用いる。
前記遊技用記憶媒体としては、プリペイドカードや遊技機用ＩＣコイン等を用いる。
前記遊技媒体としては、遊技に使用するメダルやパチンコ玉等を用いる。
前記遊技媒体払出装置としては、遊技に使用するメダルやパチンコ玉等の遊技媒体を貸出す貸出機等を用いる。
【００２０】
請求項１０に記載の発明は、遊技に使用可能な有価価値を示す情報である論理マネーを、遊技用記憶媒体に記憶される固有の識別コードからアドレスが特定される情報記憶領域である論理マネー口座において記憶し管理する論理マネー記憶手段を装備する論理マネー管理装置と、前記遊技用記憶媒体又は現金の投入に応じて遊技媒体を払い出す複数の遊技媒体払出装置とを備える遊技媒体貸出システムにおける預り金管理方法であって、前記遊技媒体払出装置において、前記遊技用記憶媒体が投入されるに応じて前記識別コードを読み取るステップと、読み取った当該識別コードとともに、投入された現金の金額情報を前記論理マネー管理装置へ送信するステップと、前記論理マネー管理装置において、受信した金額情報が示す金額を所定の取引単位に分割して論理マネーを生成するステップと、受信した当該識別コードから特定される前記論理マネー口座に、分割した各論理マネーにそれぞれ固有の識別データを対応付けて記憶するステップとを備えることを特徴とする。
【００２１】
請求項１１に記載の発明は、請求項９又は１０に記載の遊技媒体貸出システムにおける預り金管理方法であって、前記論理マネー管理装置において、前記各所定の取引単位の論理マネーを介して、一の前記遊技媒体払出装置との間で交わされる取引の度に、取引した当該遊技用記憶媒体の識別コードと、取引した当該論理マネーの識別データと、取引した日時と、取引した当該遊技媒体払出装置の識別情報とを少なくとも含む取引履歴を取引履歴記録手段に記録するステップを更に備えることを特徴とする。
【００２２】
請求項１２に記載の発明は、請求項９〜１１の何れか１項に記載の遊技媒体貸出システムにおける預り金管理方法であって、現金の投入を受けて新規に前記遊技用記憶媒体を発行する遊技用記憶媒体発行装置において、投入された現金を識別するステップと、識別した現金の金額情報とともに発行を予定する前記遊技用記憶媒体の識別コードを前記論理マネー管理装置へ送信するステップと、前記論理マネー管理装置において、当該遊技用記憶媒体発行装置から受信した金額情報が示す金額を前記所定の取引単位に分割して論理マネーを生成するステップと、当該遊技用記憶媒体発行装置から受信した当該識別コードから特定される論理マネー口座に分割した各論理マネーにそれぞれ固有の識別データを対応付けて記憶するステップとを更に備えることを特徴とする。
【００２３】
請求項１３に記載の発明は、請求項９〜１２の何れか１項に記載の遊技媒体貸出システムにおける預り金管理方法であって、投入された前記遊技用記憶媒体が保有する有価価値を当該遊技用記憶媒体の投入者に返却する預り金返却装置において、前記遊技用記憶媒体が投入されるに応じて前記識別コードを読み取るステップと、読み取った当該識別コードを前記論理マネー管理装置に送信するステップと、前記論理マネー管理装置において、前記預り金返却装置から受信した識別コードに対応する論理マネー口座に記憶された論理マネーを当該預り金返却装置へ返信するステップと、当該預り金返却装置において、返信された論理マネーの総額に相当する現金を払い出すステップとを更に備えることを特徴とする。
【００２４】
請求項１４に記載の発明は、請求項１２に記載の遊技媒体貸出システムにおける預り金管理方法であって、前記遊技用記憶媒体発行装置を使用する人物、及び前記遊技媒体払出装置を使用する人物を撮像する監視カメラによる撮像データとともに、少なくとも当該監視カメラが撮像した日時データを撮像データ記録装置に記録するステップを更に備えることを特徴とする。
【００２５】
請求項１５に記載の発明は、請求項１３に記載の遊技媒体貸出システムにおける預り金管理方法であって、前記預り金返却装置を使用する人物、及び前記遊技媒体払出装置を使用する人物を撮像する監視カメラによる撮像データとともに、少なくとも当該監視カメラが撮像した日時データを撮像データ記録装置に記録するステップを更に備えることを特徴とする。
【００２６】
請求項１６に記載の発明は、請求項９〜１５の何れか１項に記載の遊技媒体貸出システムにおける預り金管理方法であって、前記遊技用記憶媒体は、固有の前記識別コードを記憶するＩＣメモリチップを内包し無線通信によりその記憶内容が読み出されるＩＣコインであることを特徴とする。
【００２７】
請求項１に記載の遊技媒体貸出システムによれば、論理マネー管理装置が、有価価値を示す情報である論理マネーを所定の取引単位に分割し、分割した各論理マネーにそれぞれ固有の識別データを付与して論理マネー口座に記憶し管理することで、論理マネーの取引における正当性を確保する。
【００２８】
請求項２に記載の遊技媒体貸出システムによれば、遊技媒体払出装置は、投入された現金の金額情報とともに読み取った遊技用記憶媒体の識別コードを論理マネー管理装置へ送信し、当該論理マネー管理装置は、受信した金額情報が示す金額を所定の取引単位に分割して生成した各論理マネーと、当該各論理マネーに付与した前記固有の識別データとを、当該遊技用記憶媒体の識別コードから特定される前記論理マネー口座にそれぞれ記憶し管理する。これにより、遊技媒体払出装置に投入された現金についても、取引に対して正当性を確保できる。
【００２９】
請求項３に記載の遊技媒体貸出システムによれば、取引履歴記録手段は、各所定の取引単位の論理マネーを介して、一の遊技媒体払出装置との間で交わされる取引の度に、取引した当該遊技用記憶媒体の識別コードと、取引した当該論理マネーの識別データと、取引した日時と、取引した当該遊技媒体払出装置の識別情報とを少なくとも含む取引履歴を記録する。これにより、過去に履歴として記憶された当該論理マネーがどの段階で取引されたかを容易に特定できる。
【００３０】
請求項４に記載の遊技媒体貸出システムによれば、遊技用記憶媒体発行装置は、投入された現金の金額情報とともに発行を予定する遊技用記憶媒体の識別コードを論理マネー管理装置に送信し、当該論理マネー管理装置は、受信した金額情報が示す金額を前記所定の取引単位に分割して生成した各論理マネーと、当該各論理マネーに付与した前記固有の識別データとを、当該遊技用記憶媒体の識別コードから特定される論理マネー口座にそれぞれ記憶する。これにより、遊技用記憶媒体発行装置に投入された現金についても、取引における正当性を確保できる。
【００３１】
請求項５に記載の遊技媒体貸出システムによれば、預り金返却装置は、投入された遊技用記憶媒体の識別コードを論理マネー管理装置に送信し、これに応じて当該論理マネー管理装置から返信される、当該遊技用記憶媒体の識別コードに対応する論理マネー口座に記憶された論理マネーに基づいて、当該返却された論理マネーの総額に相当する現金を払い出す。これにより、預り金返却装置が投入された遊技用記憶媒体に応じて返却する現金についても、取引における正当性を確保できる。
【００３２】
請求項６に記載の遊技媒体貸出システムによれば、監視カメラは、遊技用記憶媒体発行装置を使用する人物、及び遊技媒体払出装置を使用する人物を撮像し、撮像データ記録装置は、前記監視カメラによる撮像データとともに、少なくとも当該監視カメラが撮像した日時データを記録する。これにより、論理マネーの取引履歴と、取引した人物像とを照合することができる。
【００３３】
請求項７に記載の遊技媒体貸出システムによれば、監視カメラは、預り金返却装置を使用する人物、及び遊技媒体払出装置を使用する人物を撮像し、撮像データ記録装置は、前記監視カメラによる撮像データとともに、少なくとも当該監視カメラが撮像した日時データを記録する。これにより、論理マネーの取引履歴と、取引した人物像とを照合することができる。
【００３４】
請求項８に記載の遊技媒体貸出システムによれば、遊技用記憶媒体としてＩＣコインに内包するＩＣメモリチップに記憶する識別コードを無線通信により読み出すことで、論理マネー口座を特定する。
【００３５】
請求項９に記載の遊技媒体貸出システムにおける預り金管理方法によれば、論理マネー管理装置が、遊技媒体払出装置に投入された遊技用記憶媒体が保有する論理マネーを所定の取引単位に分割し、分割した各論理マネーにそれぞれ固有の識別データを付与して論理マネー口座に記憶することで、論理マネーの取引における正当性を確保する。
【００３６】
請求項１０に記載の遊技媒体貸出システムにおける預り金管理方法によれば、遊技媒体払出装置は、遊技用記憶媒体が投入されるに応じて識別コードを読み取り、読み取った当該識別コードとともに、投入された現金の金額情報を論理マネー管理装置へ送信し、当該論理マネー管理装置は、受信した金額情報が示す金額を所定の取引単位に分割して論理マネーを生成し、受信した当該識別コードから特定される論理マネー口座に、分割した各論理マネーにそれぞれ固有の識別データを対応付けて記憶する。これにより、遊技媒体払出装置に投入された現金についても、取引に対して正当性を確保できる。
【００３７】
請求項１１に記載の遊技媒体貸出システムにおける預り金管理方法によれば、論理マネー管理装置は、各所定の取引単位の論理マネーを介して、一の遊技媒体払出装置との間で交わされる取引の度に、取引した遊技用記憶媒体の識別コードと、取引した当該論理マネーの識別データと、取引した日時と、取引した当該遊技媒体払出装置の識別情報とを少なくとも含む取引履歴を取引履歴記録手段に記録する。これにより、過去に履歴として記憶された当該論理マネーがどの段階で取引されたかを容易に特定できる。
【００３８】
請求項１２に記載の遊技媒体貸出システムにおける預り金管理方法によれば、遊技用記憶媒体発行装置は、投入された現金を識別し、識別した現金の金額情報とともに発行を予定する前記遊技用記憶媒体の識別コードを論理マネー管理装置へ送信し、当該論理マネー管理装置は、当該遊技用記憶媒体発行装置から受信した金額情報が示す金額を前記所定の取引単位に分割して論理マネーを生成し、当該遊技用記憶媒体発行装置から受信した当該識別コードから特定される論理マネー口座に分割した各論理マネーにそれぞれ固有の識別データを対応付けて記憶する。これにより、遊技用記憶媒体発行装置に投入された現金についても、取引における正当性を確保できる。
【００３９】
請求項１３に記載の遊技媒体貸出システムにおける預り金管理方法によれば、預り金返却装置は、投入された遊技用記憶媒体の識別コードを論理マネー管理装置に送信し、これに応じて当該論理マネー管理装置から返信される、当該遊技用記憶媒体の識別コードに対応する論理マネー口座に記憶された論理マネーに基づいて、当該返却された論理マネーの総額に相当する現金を払い出す。これにより、預り金返却装置が投入された遊技用記憶媒体に応じて返却する現金についても、取引における正当性を確保できる。
【００４０】
請求項１４に記載の遊技媒体貸出システムにおける預り金管理方法によれば、撮像データ記録装置は、遊技用記憶媒体発行装置を使用する人物、及び遊技媒体払出装置を使用する人物を撮像する監視カメラによる撮像データとともに、少なくとも当該監視カメラが撮像した日時データを記録する。これにより、論理マネーの取引履歴と、取引した人物像とを照合することができる。
【００４１】
請求項１５に記載の遊技媒体貸出システムにおける預り金管理方法によれば、撮像データ記録装置は、預り金返却装置を使用する人物、及び遊技媒体払出装置を使用する人物を撮像する監視カメラによる撮像データとともに、少なくとも当該監視カメラが撮像した日時データを記録する。これにより、論理マネーの取引履歴と、取引した人物像とを照合することができる。
【００４２】
請求項１６に記載の遊技媒体貸出システムにおける預り金管理方法によれば、遊技用記憶媒体としてＩＣコインに内包するＩＣメモリチップに記憶する識別コードを無線通信により読み出すことで、論理マネー口座を特定する。
【発明の効果】
【００４３】
本発明に係る遊技媒体貸出システムによれば、有価価値を示す情報である論理マネーを所定の取引単位に分割し、分割した各論理マネーにそれぞれ固有の識別データを付与して論理マネー口座に記憶し管理することで、論理マネーの取引における正当性を確保することが可能になる。例えば価値情報に係るデータの送受信を行う貸出機と管理コンピュータとの間で異常が発生した場合、どの取引の段階でデータに異常が発生したかトレースして特定することができ、不正な行為を防止することができる。
【発明を実施するための最良の形態】
【００４４】
以下、本発明に係る遊技媒体貸出システム及びその預り金管理方法の好適な一実施形態としてＩＣコイン用台間メダル貸出機とスロットマシン（回胴式遊技機）とＩＣコイン用台間玉貸出機とパチンコ機を組み合わせた遊技媒体貸出システムを例に図面を参照して説明する。なお、図１は遊技媒体貸出システムの全体構成を示すブロック図、図２はＩＣコイン用台間玉貸出機の正面図、図３はＩＣコイン用台間玉貸出機の断面図、図４はＩＣコイン用台間玉貸出機と店舗設備のブロック図、図５は論理マネーデータベースを詳細に説明する説明図、図６乃至図９は預り金両替機でＩＣコインを購入して遊技を行う場合の論理マネーの処理について説明する第１乃至第４の説明図ある。
【００４５】
図１において、パチンコホール等の遊技娯楽施設として構築される遊技媒体貸出システム１について説明する。
【００４６】
遊技媒体貸出システム１は、管理センター２に配置されたホストコンピュータ３と、遊技場１０に配置された店舗設備１１、預り金両替機１２、預り金返却機１３、複数のスロットマシン１４、複数のＩＣコイン用台間メダル貸出機１５、複数のパチンコ機１６、複数のＩＣコイン用台間玉貸出機１７及び複数の監視カメラ１８、１９、２０、２１とを備えている。遊技媒体貸出システム１に用いられるＩＣコイン３０は、全体形状が円盤状のケースを有し、固有の識別コード（以下、ＩＤコード）を記憶するＩＣメモリチップを内包し無線通信によりその記憶内容が読み出されるＩＣコインである。また、ＩＣコイン３０は、客の持ち帰り及び後日使用が可能になっている。
【００４７】
管理センター２のホストコンピュータ３は、ＩＣコイン３０の発行や利用を監視するためのものであり、情報管理端末の店舗設備１１に通信可能に接続されており、該店舗設備１１からＩＣコイン３０の発行情報及び利用情報を収集する。
【００４８】
店舗設備１１は、ホールコンピュータ及び論理マネー管理手段で構成され、通信を中継するハブ（図示せず）を介して預り金両替機１２、預り金返却装置としての機預り金返却機１３、複数のＩＣコイン用台間メダル貸出機１５、複数のＩＣコイン用台間玉貸出機１７に通信回線２２にて通信可能に接続されており、内蔵している論理マネー管理データベースにてＩＣコイン３０の発行状況、利用状況を管理している。預り金両替機１２は現金の投入を受けてＩＣコインの発行（両替）を行う。預り金返却機１３は、投入された前記ＩＣコイン３０が保有する有価価値（金銭価値）を当該ＩＣコイン３０の投入者に返却するようになっている。ここで、本明細書では、メダルの払い出し等の遊技に使用可能な有価価値を特に「遊技価値」と呼んでいる。複数のＩＣコイン用台間メダル貸出機１５は、ＩＣコイン３０の投入を受けて遊技媒体のメダルを貸出す他、現金の投入を受けてＩＣコイン３０の発行も行う。複数のＩＣコイン用台間玉貸出機１７は、ＩＣコイン３０の投入を受けて遊技媒体のパチンコ玉を貸出す他、現金の投入を受けてＩＣコイン３０の発行も行う。
【００４９】
即ち、預り金両替機１２、複数のＩＣコイン用台間メダル貸出機１５、複数のＩＣコイン用台間玉貸出機１７は、現金の投入を受けて新規に前記ＩＣコイン３０を発行する遊技用記憶媒体発行装置となっている。
【００５０】
複数のＩＣコイン用台間メダル貸出機１５、複数のＩＣコイン用台間玉貸出機１７は、前記ＩＣコイン３０の投入に応じて前記ＩＤコードを読み取り前記店舗設備１１の前記論理マネー管理装置へ当該ＩＤコードを送信し、当該論理マネー管理装置から返信された論理マネーの有価価値に基づく数量の遊技媒体を払い出す遊技媒体払出装置となっている。
【００５１】
スロットマシン１４及びパチンコ機１６は、前記遊技媒体払出装置からの遊技媒体を受けて遊技を許容する遊技機となっている。
【００５２】
監視カメラ１８は、預り金両替機１２用の監視カメラであり、預り金両替機１２に現金の投入を行っている人物の撮影を行う。
【００５３】
監視カメラ１９は、預り金返却機１３用の監視カメラであり、預り金返却機１３でＩＣコイン３０の投入を行っている人物の撮影を行う。
【００５４】
監視カメラ２０は、ＩＣコイン用台間メダル貸出機１５及びスロットマシン１４を用いて遊技を行っている人物の撮影を行う。
【００５５】
監視カメラ２１は、ＩＣコイン用台間玉貸出機１７及びパチンコ機１６を用いて遊技を行っている人物の撮影を行う。
【００５６】
店舗設備１１は、通信を中継するハブ（図示せず）を介して監視カメラ１８、１９、２０、２１に通信回線２２にて通信可能に接続されている。さらに店舗設備１１は、撮像データ記録装置を備えており、前記監視カメラ１８、１９、２０、２１による撮像データとともに、少なくとも当該監視カメラ１８、１９、２０、２１が撮像した日時データを記録する。
【００５７】
次に、図２及び図３を参照してＩＣコイン用台間玉貸出機と店舗設備について詳細に説明する。
【００５８】
図２において、ＩＣコイン用台間玉貸出機１７は、遊技媒体（例えばパチンコ機に使用する遊技球）の貸し出しを行う遊技媒体貸出機であって、パチンコ機１６（図１参照）の側方に設置されて使用される。
【００５９】
ＩＣコイン用台間玉貸出機１７の箱状の筐体３１の前面には、上から順に、現金の紙幣が投入される現金投入口３２、ＩＣコインが投入されるＩＣコイン投入口３３、ＩＣコイン用台間玉貸出機１７にパチンコ玉の貸し出しを行わせるための押しボタンスイッチである玉貸しボタン３４、ＩＣコイン用台間玉貸出機１７にＩＣコインを返却させるためのＩＣコイン返却ボタン３５、ＩＣコイン３０の残り金額を表示するＩＣコイン残高表示部３６、回動孔３７、ＩＣコインが排出されるＩＣコイン排出口３８、排出されたＩＣコインを貯留する受け皿３９が設けられている。回動孔３７には、ノズル部材４０が取り付けられている。
【００６０】
図３において、ＩＣコイン用台間玉貸出機１７の筐体３１の内部には、上から順に、現金識別機４１、ＩＣコイン通路４２が設けられている。ＩＣコイン通路４２の図中向かって右側には遊技球払出手段４３が設けられている。遊技球払出手段４３は、遊技媒体排出手段であり、図４で後述する払出制御手段７２から電気信号による遊技球払い出しの指示があったとき、回動孔３７（図２参照）を介してパチンコ玉をノズル部材４０（図２参照）の上端部に排出する。ここで、図２において、回動孔３７は、筐体３１に対して略水平方向に回動可能になっている。これにより、ノズル部材４０も筐体３１に対して略水平方向に回動可能になっている。通常、ノズル部材４０の下端部は、パチンコ機１６（図１参照）の遊技球受け皿の上に配置される。ノズル部材４０の下端部から排出する遊技球は、パチンコ機１６（図１参照）の遊技球受け皿に供給される。
【００６１】
図３において、ＩＣコイン通路４２は、筐体３１に対して下方に向けて蛇行して形成されている。ＩＣコイン通路４２を蛇行して形成する理由は、当該ＩＣコイン通路４２を落下するＩＣコイン３０の速度を低く抑えて、当該ＩＣコイン３０が下のＩＣコイン３０や他の後述のロータ６３と衝突した場合の衝撃を緩和するためと、当該ＩＣコイン通路４２の経路を出来るだけ長くして、当該ＩＣコイン通路４２に蓄えることができるＩＣコイン３０を出来るだけ多くするためである。
【００６２】
ＩＣコイン通路４２のＩＣコイン投入口３３付近には、ＩＣコイン受入部５１が設けられている。
【００６３】
ＩＣコイン受入部５１は、ＩＣコイン３０に対して電波の送受信を行い、ＩＣコイン３０の処理回路に記録されたＩＤコードを読み出すアンテナコイル５２と、図示しないモータの動力により正逆転自在に回転するロータ５３とを備えている。
【００６４】
ロータ５３は、円板の外周面上の１か所の位置に、ＩＣコイン受入れ用にＵ字形に凹部形成したコインホルダ５４を開口して設けている。ロータ５３は、回転中心位置に取付けた回転軸５５が図示しない軸受部に回動自在に軸支されている。ロータ５３は、回転軸５５を中心にして図示しないモータの動力により正逆転自在に回転する。
【００６５】
ロータ５３は、ＩＣコイン投入口３３から落下するＩＣコイン３０を一時的に保持し、ＩＣコイン３０の処理回路に記録されたＩＤコードをアンテナコイル５２に読み出させ、この後、図中反時計回りに回転し、ＩＣコイン３０を下方に落下させる。
【００６６】
ＩＣコイン受入部５１は、現在保持しているＩＣコイン３０のＩＤコードが当店のものでなかった場合、図示しないもう一つＩＣコイン通路を介してＩＣコイン３０を強制的にＩＣコイン排出口３８に排出させることができる。
【００６７】
ＩＣコイン通路４２のＩＣコイン排出口３８付近には、ＩＣコイン精算部６１が設けられている。
【００６８】
ＩＣコイン精算部６１は、ＩＣコイン３０の処理回路に記録されたＩＤコードを読み出すアンテナコイル６２と、ロータ６３とを備えている。
【００６９】
ロータ６３は、円板の外周面上の１か所の位置に、コインホルダ６４を開口して設けている。ロータ６３は、回転軸６５を中心にして図示しないモータの動力により正逆転自在に回転する。
【００７０】
ロータ６３は、ＩＣコイン通路４２を落下するＩＣコイン３０を一時的に保持し、ＩＣコイン３０の処理回路に記録されたＩＤコードをアンテナコイル６２に読み出させ、この後、図中反時計回りに回転し、ＩＣコイン３０をコイン排出口３８に落下させる。
【００７１】
次に、図４を用いてＩＣコイン用台間玉貸出機１７と店舗設備１１について詳細に説明する。
【００７２】
図４において、ＩＣコイン用台間玉貸出機１７は、玉貸しボタン３４と、ＩＣコイン返却ボタン３５と、ＩＣコイン残高表示部３６と、ＩＣコイン受入部５１と、論理マネー取引処理部７１と、現金識別機４１と、払出制御手段７２と、遊技球払出手段４３と、ＩＣコイン精算部６１とを備えている。店舗設備１１は、論理マネー管理装置８０と、ホールコンピュータ９０とを備えている。
【００７３】
論理マネー管理装置８０は、論理マネー記憶手段としての論理マネー管理データベース（以下、論理マネーＤＢと呼ぶ）８１と、取引履歴ファイル８２とを備えている。
【００７４】
論理マネーＤＢ８１は、遊技に使用可能な有価価値を示す情報である論理マネーを、遊技用記憶媒体であるＩＣコイン３０（図３参照）に記憶される固有のＩＤコードからアドレスが特定される情報記憶領域である論理マネー口座において記憶し管理する。
【００７５】
図１に用いて前述したように、ＩＣコイン用台間玉貸出機１７は、前記ＩＣコイン３０の投入に応じて前記ＩＤコードを読み取り前記論理マネー管理装置８０へ当該ＩＤコードを送信する。
【００７６】
論理マネー管理装置８０は、論理マネーＤＢ８１において、前記論理マネーを所定の取引単位に分割し、分割した各論理マネーにそれぞれ固有の識別データを付与して前記論理マネー口座に記憶し管理する。
【００７７】
論理マネー管理装置８０の論理マネーＤＢ８１には、例えば、以下の図５に示すような論理マネー管理データベースが構築されている。
【００７８】
本実施形態における論理マネーとは、従来単なる数値として表されていた有価価値を示す情報（金銭データ）にユニークな識別データ（例えば、シリアル番号データ）を付加し、実際の紙幣と同様に送り元と受け取り先で一枚ごとのデータを個別管理できるようにしたものである。
【００７９】
かかる論理マネーは、論理マネー管理装置８０に記憶された論理マネーＤＢにおいて記憶、管理されている。すなわち、図５に示されるように、論理マネーＤＢ８１は複数のセクションを有しており、これらセクションは論理マネー口座に対応している。つまり、それぞれのセクションは、ＩＣコイン３０（図３参照）のＩＤコードから特定される論理マネー口座となっており、取引単位毎に分割した各論理マネーの価値（つまり最少取引金額、取引単位と等価）と、各論理マネーを識別するデータであるシリアル番号とがそれぞれ対応づけられて記憶されている。
【００８０】
また、論理マネーＤＢ８１は、第１のセクションから第２のセクションへ取引単位毎の論理マネーをコピーし、第１のセクションの取引単位毎の論理マネーを消去することで、第１のセクションから第２のセクションへ取引単位毎の論理マネーを転送するようになっている。
【００８１】
取引履歴ファイル８２には、前記固有の識別データを有する取引単位毎の論理マネー毎に、ホール毎に付番する番号を表す「ホールナンバー」、論理マネーを発行した機器を示す「発行機器番号」、論理マネーが振り込まれた論理マネー口座を示す論理マネー口座番号、論理マネーが論理マネー口座に振り込まれた日時を示す記憶管理日時、論理マネーを使用した機器を示す「使用機器番号」、論理マネーを使用した当日の日付を表す「取引日時」等の複数項目を１レコードとして、取引単位毎の全論理マネーの情報を登録する。例えば１０００円の論理マネーが１０万個あったとすると、前記論理マネーＤＢ８１のレコード数は１０万件となる。取引履歴ファイル８２は、論理マネーの固有の識別データ毎に当該論理マネーの取引日時及び場所を含む取引履歴を記録する取引履歴記録手段となっている。
【００８２】
ＩＣコイン用台間玉貸出機１７のＩＣコイン受入部５１は、ＩＣコイン投入口３３（図３参照）から投入されたＩＣコイン３０の処理回路に記録されたＩＤコードを読み出し、ＩＣコイン３０のＩＤコードを含むＩＣコイン受付信号を論理マネー取引処理部７１に出力する。そして、ＩＣコイン受入部５１は、ＩＣコイン受付信号を出力した後、ロータ５３（図３参照）を反時計回りに回転させ、ＩＣコイン３０（図３参照）を下方に落下させる。
【００８３】
論理マネー取引処理部７１は、ＩＣコイン受入部５１（図３参照）からＩＣコイン３０（図３参照）のＩＤコードが出力された場合、ＩＣコイン３０（図３参照）のＩＤコードを店舗設備１１の論理マネー管理装置８０に供給する。論理マネー管理装置８０は、論理マネーＤＢ８１に論理マネー取引処理部７１からのＩＣコイン３０（図３参照）のＩＤコードが登録されていれば、当店のＩＣコインであると認証し、このＩＤコードのＩＣコインが現在使用中であることを示すフラグを立て、ＩＣコイン３０（図３参照）のＩＤコードに対応する論理マネー口座に記憶管理されている取引単位毎の全ての論理マネーの合計の金額を読み出し、残高情報として論理マネー取引処理部７１に出力する。論理マネー取引処理部７１は、残高情報を入力すると、残高情報をＩＣコイン残高表示部３６（図２参照）に表示させる。
【００８４】
また、論理マネー管理装置８０は、論理マネー取引処理部７１からのＩＣコインのＩＤコードが登録されていなければ、他店のＩＣコインであると判断し、このことを示すＩＣコイン拒否情報を論理マネー取引処理部７１に出力する。
【００８５】
論理マネー取引処理部７１は、ＩＣコイン拒否情報を入力すると、ＩＣコイン受入部５１（図３参照）に現在保持しているＩＣコイン３０（図３参照）を拒絶させ、ＩＣコイン３０（図３参照）を強制的にＩＣコイン排出口３８（図２参照）に排出させる。
【００８６】
論理マネー取引処理部７１は、ＩＣコイン投入口３３（図３参照）から複数のＩＣコイン３０（図３参照）が連続して投入され、ＩＣコイン受入部５１（図３参照）から異なる複数のＩＣコイン３０（図３参照）のＩＤコードが連続して出力された場合、異なる複数のＩＣコイン３０（図３参照）のＩＤコードを店舗設備１１の論理マネー管理装置８０に供給する。論理マネー管理装置８０は、論理マネー取引処理部７１から後述の精算要求信号が供給されるまでは、異なる複数のＩＤコードのＩＣコイン３０（図３参照）に対して現在使用中であることを示すフラグを立てつづけ、これら複数のＩＣコイン３０（図３参照）のＩＤコードに対応する論理マネー口座に記憶管理されている取引単位毎の全て論理マネーの合計金額を読み出し、残高情報として論理マネー取引処理部７１に出力する。
【００８７】
現金識別機４１は、現金投入口３２から投入された紙幣の真贋及び金額を識別し、紙幣の真贋及び金額を示す現金受付信号を論理マネー取引処理部７１に出力する。
【００８８】
論理マネー取引処理部７１は、現金識別機４１から現金受付信号を入力した場合、ＩＣコイン精算部６１が保持しているＩＣコイン３０（図３参照）のＩＤコードを読み出し、ＩＣコイン３０（図３参照）のＩＤコードと論理マネー預入信号を論理マネー管理装置８０に供給する。これに対応し、論理マネー管理装置８０は、ＩＣコイン精算部６１が保持しているＩＤコードのＩＣコイン３０（図３参照）に対して現在使用中であることを示すフラグを立て、ＩＣコイン精算部６１が保持しているＩＣコイン３０（図３参照）のＩＤコードに対応する論理マネー口座に論理マネー預入信号が示す金額の論理マネーを前記所定の取引単位に分割して固有の識別データを付与して記憶管理し、記憶管理した後の取引単位毎の論理マネーの合計の金額を読み出し、残高情報として論理マネー取引処理部７１に出力する。
【００８９】
このような構成により、ＩＣコイン用台間玉貸出機１７は、現金識別機４１に投入された現金の金額情報とともにＩＣコイン受入部５１が読み取った前記ＩＣコイン３０のＩＤコードを前記論理マネー管理装置８０へ送信し、この場合に前記論理マネー管理装置８０は、受信した金額情報が示す金額を前記所定の取引単位に分割して生成した各論理マネーと、当該各論理マネーに付与した前記固有の識別データとを、当該ＩＣコイン３０のＩＤコードから特定される前記論理マネー口座にそれぞれ記憶し管理する。さらに、論理マネー管理装置８０は、現金識別機４１で入金された金銭データを所定の取引単位に分割し、この単位毎に固有の識別データを付加して論理マネー口座に記憶管理させるようにしている。
【００９０】
論理マネー取引処理部７１は、玉貸しボタン３４がオン操作されると、取引単位１０００円分の出金要求信号を論理マネー管理装置８０に供給する。論理マネー管理装置８０は、出金要求信号を入力すると、ＩＣコイン受入部５１のＩＣコイン３０（図３参照）のＩＤコードに対応する論理マネー口座を調べ、残額が残っている場合には、論理マネー口座から取引単位１０００円分の論理マネーを転送し、転送した後の金額を読み出し、残高情報として論理マネー取引処理部７１に出力する。この後、論理マネー管理装置８０は、取引単位１０００円分の論理マネー出金信号を論理マネー取引処理部７１に出力する。
【００９１】
論理マネー取引処理部７１は、論理マネー管理装置８０から残高情報を入力した場合、この残高情報をＩＣコイン残高表示部３６（図２参照）に表示する。また、論理マネー取引処理部７１は、玉貸しボタン３４がオン操作された後、論理マネー管理装置８０から取引単位１０００円分の論理マネー出金信号を入力すると、払出制御手段７２を制御して払出制御信号を遊技球払出手段４３に向けて出力させるとともに、払出制御手段７２を制御してホールコンピュータ９０に対して払い出す遊技球数に応じた価額分（取引単位１０００円分）の貸出信号を送信する。
【００９２】
遊技球払出手段４３（図３参照）は、払出制御手段７２から払出制御信号を入力すると、取引単位１０００円分のパチンコ玉を払い出す。
【００９３】
ホールコンピュータ９０は、払出制御手段７２からの貸出信号が示す価額と、貸出信号が送信された時間、貸出信号を送信した機器のシリアル番号データ等を記憶し管理することで、遊技媒体の貸出履歴の管理を行なっている。
【００９４】
論理マネー取引処理部７１は、ＩＣコイン返却ボタン３５がオン操作されると、ＩＣコイン精算部６１が保持しているＩＣコイン３０（図３参照）のＩＤコードを読み出し、ＩＣコイン３０（図３参照）のＩＤコードと精算要求信号を論理マネー管理装置８０に供給する。論理マネー管理装置８０は、ＩＣコイン３０（図３参照）のＩＤコードと精算要求信号を入力すると、現在使用中であることを示すフラグを立てたＩＤコードのＩＣコインの論理マネー口座に記憶管理された取引単位毎の論理マネーの全てを、ＩＣコイン精算部６１が保持しているＩＣコイン３０（図３参照）のＩＤコードに対応する論理マネー口座に転送し、前記フラグをリセットして精算が完了したことを示す精算完了信号を論理マネー取引処理部７１に供給する。
【００９５】
論理マネー取引処理部７１は、論理マネー管理装置８０からの精算完了信号を入力した場合、ＩＣコイン精算部６１を制御してＩＣコイン精算部６１が保持しているＩＣコイン３０（図３参照）をＩＣコイン排出口３８（図３参照）に排出させる。
【００９６】
この後、遊技者は、ＩＣコイン排出口３８（図３参照）からＩＣコイン３０（図３参照）を受け取る。このＩＣコイン３０（図３参照）の論理マネー口座に記憶管理されている取引単位毎の論理マネーの合計金額は、遊技者が投入したＩＣコイン３０（図３参照）の論理マネー口座に記憶管理されている取引単位毎の全ての論理マネーと遊技者が投入した現金の合計から遊技者が借りたパチンコ玉の金額を引いた金額と一致している。
【００９７】
また、論理マネーＤＢ８１による取引単位毎の論理マネーの取引は、取引履歴記録手段である取引履歴ファイル８２により記録される。
【００９８】
取引履歴ファイル８２は、前記各所定の取引単位の論理マネーを介して、一の前記ＩＣコイン用台間玉貸出機１７との間で交わされる取引の度に、取引した当該ＩＣコイン３０のＩＤコードと、取引した当該論理マネーの識別データと、取引した日時と、取引した当該ＩＣコイン用台間玉貸出機１７の識別情報とを少なくとも含む取引履歴を記録する。
【００９９】
尚、前記ＩＣコイン用台間メダル貸出機１５についても、遊技媒体がメダルに変わるだけで、ＩＣコイン用台間玉貸出機１７と同様のＩＣコイン３０に対する処理を行っている。
【０１００】
次に、預り金両替機１２（図１参照）と論理マネー管理装置８０の関係について詳細に説明する。
【０１０１】
預り金両替機１２（図１参照）は、投入された現金の真贋及び金額を識別し、紙幣が真であればその金額を示す現金受付信号と発行するＩＣコインのＩＣコインのＩＤコードを論理マネー管理装置８０（図４参照）に供給する。論理マネー管理装置８０（図４参照）は、預り金両替機１２（図１参照）から入力したＩＣコインのＩＤコードに対応する論理マネー口座に現金受付信号が示す金額に相当する論理マネーを取引単位毎に記憶管理させる。この場合、現金受付信号が示す金額は、１０００円単位の複数または単数の論理マネーに変換され固有の識別データを付与されて論理マネー口座に記憶管理される。
【０１０２】
預り金両替機１２は、投入された現金の金額情報とともに発行を予定する前記ＩＣコイン３０のＩＤコードを前記論理マネー管理装置８０に送信する。この場合、前記論理マネー管理装置８０は、受信した金額情報が示す金額を前記所定の取引単位に分割して生成した各論理マネーと、当該各論理マネーに付与した前記固有の識別データとを、当該ＩＣコイン３０のＩＤコードから特定される論理マネー口座にそれぞれ記憶し管理する。このことは、遊技用記憶媒体発行装置である複数のＩＣコイン用台間メダル貸出機１５、複数のＩＣコイン用台間玉貸出機１７についても同様である。
【０１０３】
次に、預り金返却機１３（図１参照）と論理マネー管理装置８０の関係について詳細に説明する。
【０１０４】
預り金返却機１３（図１参照）は、投入されたＩＣコイン３０の処理回路に記録されたＩＤコードを読み出し、ＩＣコイン３０（図１参照）のＩＤコードを含むＩＣコイン精算要求信号を論理マネー管理装置８０（図４参照）に供給する。論理マネー管理装置８０（図４参照）は、預り金返却機１３（図１参照）からＩＣコイン３０（図１参照）のＩＤコードと精算要求信号を入力すると、入力したＩＤコードのＩＣコイン３０（図１参照）の論理マネー口座に記憶管理された取引単位毎の論理マネーの全てを、預り金返却機１３（図１参照）に転送する。預り金返却機１３（図１参照）は、論理マネー管理装置８０（図４参照）から転送した取引単位毎の論理マネーの全てに相当する金額の現金を返却する。
【０１０５】
これにより、前記預り金返却機１３は、投入された前記ＩＣコイン３０のＩＤコードを前記論理マネー管理装置８０に送信し、これに応じて前記論理マネー管理装置８０から返信される、当該ＩＣコイン３０のＩＤコードに対応する論理マネー口座に記憶された論理マネーに基づいて、当該返却された論理マネーの総額に相当する現金を払い出す。
【０１０６】
以下、本実施形態の全体的な動作について説明する。
【０１０７】
遊技媒体貸出システム１における預り金管理方法では、遊技媒体払出装置（図１に示した前記ＩＣコイン用台間玉貸出機１７及びＩＣコイン用台間玉貸出機１７）において、前記ＩＣコイン３０が投入されるに応じて前記ＩＤコードを読み取るステップと、読み取った当該ＩＤコードを前記論理マネー管理装置８０へ送信するステップとの処理を行い、前記前記論理マネー管理装置８０において、受信した当該ＩＤコードのＩＣコイン３０が保有する論理マネーを所定の取引単位に分割するステップと、分割した各論理マネーにそれぞれ固有の識別データを対応付けて、受信した当該ＩＤコードから特定される前記論理マネー口座に記憶するステップとの処理を行うことによって、預り金としての論理マネーの管理を行う。
【０１０８】
また、遊技媒体貸出システム１における預り金管理方法では、前記遊技媒体払出装置にＩＣコイン３０とともに現金が投入された場合に、前記遊技媒体払出装置において、前記ＩＣコイン３０が投入されるに応じて前記ＩＤコードを読み取るステップと、読み取った当該ＩＤコードとともに、投入された現金の金額情報を前記論理マネー管理装置８０へ送信するステップとの処理を行い、前記論理マネー管理装置８０において、受信した金額情報が示す金額を所定の取引単位に分割して論理マネーを生成するステップと、受信した当該ＩＤコードから特定される前記論理マネー口座に、分割した各論理マネーにそれぞれ固有の識別データを対応付けて記憶するステップとの処理を行うことで、ＩＣコイン３０と現金により預り金として発生する論理マネーの管理を行う。
【０１０９】
さらに、遊技媒体貸出システム１における預り金管理方法では、前記論理マネー管理装置８０において、前記各所定の取引単位の論理マネーを介して、一の前記遊技媒体払出装置との間で交わされる取引の度に、取引した当該ＩＣコイン３０のＩＤコードと、取引した当該論理マネーの識別データと、取引した日時と、取引した当該遊技媒体払出装置の識別情報とを少なくとも含む取引履歴を取引履歴記録手段に記録するステップの処理を行うことによって、論理マネーの取引の履歴管理を行う。
【０１１０】
さらに、遊技媒体貸出システム１における預り金管理方法では、遊技用記憶媒体発行装置（図１の預り金両替機１２、複数のＩＣコイン用台間メダル貸出機１５、複数のＩＣコイン用台間玉貸出機１７）が現金の投入を受けて新規に前記ＩＣコイン３０を発行する場合に、遊技用記憶媒体発行装置において、投入された現金を識別するステップと、識別した現金の金額情報とともに発行を予定する前記ＩＣコイン３０のＩＤコードを前記論理マネー管理装置８０へ送信するステップとの処理を行い、前記論理マネー管理装置８０において、当該ＩＣコイン発行装置から受信した金額情報が示す金額を前記所定の取引単位に分割して論理マネーを生成するステップと、当該ＩＣコイン発行装置から受信した当該ＩＤコードから特定される論理マネー口座に分割した各論理マネーにそれぞれ固有の識別データを対応付けて記憶するステップとの処理を行うことで、現金により預り金として発生する論理マネーの管理を行う。
【０１１１】
さらに、遊技媒体貸出システム１における預り金管理方法では、金返却装置１３が投入された前記ＩＣコイン３０が保有する有価価値を当該遊技用記憶媒体の投入者に返却する場合に、預り金返却機１３において、前記ＩＣコイン３０が投入されるに応じて前記ＩＤコードを読み取るステップと、読み取った当該ＩＤコードを前記論理マネー管理装置８０に送信するステップとの処理を行い、前記論理マネー管理装置８０において、前記預り金返却機１３から受信したＩＤコードに対応する論理マネー口座に記憶された論理マネーを当該預り金返却機１３へ返信するステップとの処理を行い、さらに、当該預り金返却機１３において、返信された論理マネーの総額に相当する現金を払い出すステップの処理を行うことで、ＩＣコイン３０が保有する有価価値を返却する取引における論理マネーの管理を行う。
【０１１２】
さらに、遊技媒体貸出システム１における預り金管理方法では、前記遊技用記憶媒体発行装置を使用する人物、及び遊技媒体払出装置を使用する人物を撮像する監視カメラ１８、１９、２０、２１による撮像データとともに、少なくとも当該監視カメラ１８、１９、２０、２１が撮像した日時データを店舗設備１１の撮像データ記録装置に記録するステップの処理を行うことで、論理マネーを取引した人物に対応付けて論理マネーの管理を行う。
【０１１３】
次に、図６乃至図９の説明図を参照して預り金両替機１２でＩＣコインを購入して遊技を行う場合の論理マネーの処理について具体的に説明する。
【０１１４】
図６において、預り金両替機１２に１００００円に入金した場合、預り金両替機１２が保持するＩＤコード＝１０１のＩＣコインの論理マネー口座には、１０個の１０００円単位の論理マネーが入金（記憶管理）される。１０個の論理マネーには、それぞれ固有の識別データとしてのシリアル番号データ＝００１、００２、００３、００４…０１０を有している。預り金両替機１２からは、ＩＤコード＝１０１のＩＣコインが排出される。
【０１１５】
ＩＣコイン用台間玉貸出機１７にＩＤコード＝１０１のＩＣコインを投入すると、論理マネー管理装置８０（図４参照）は、このＩＤコードのＩＣコインが現在使用中であることを示すフラグを立て、ＩＤコード＝１０１のＩＣコインの論理マネー口座は、論理マネーを転送可能な状態となる。
【０１１６】
図７において、玉貸しボタン３４が７回オン操作されると、ＩＣコイン用台間玉貸出機１７の遊技球払出手段４３から７０００円分のパチンコ玉が排出される。
【０１１７】
一方、ＩＤコード＝１０１のＩＣコインの論理マネー口座からは７０００円分の取引単位毎の論理マネーが転送され、この論理マネー口座の残りの取引単位毎の論理マネーはシリアル番号データ＝００１、００２、００３の３個となる。
【０１１８】
図８において、ＩＣコイン返却ボタン３５がオン操作されると、ＩＣコイン精算部６１（図３参照）が保持しているＩＣコインのＩＤコード＝１０９を読み出し、論理マネー管理装置８０（図４参照）は、ＩＤコード＝１０１のＩＣコインの論理マネー口座の取引単位毎の論理マネーを、ＩＤコード＝１０９のＩＣコインの論理マネー口座に転送する。この後、論理マネー取引処理部７１（図４参照）は、ＩＣコイン精算部６１（図３参照）が保持しているＩＤコード＝１０９のＩＣコインをＩＣコイン排出口３８（図３参照）に排出させる。ＩＣコイン排出口３８（図３参照）内のＩＣコインは遊技者により取り出される。
【０１１９】
この後、図９において、遊技者が預り金返却機１３（図1参照）にＩＤコード＝１０９のＩＣコインを投入すると、ＩＤコード＝１０９のＩＣコインの論理マネー口座からはシリアル番号データ＝００１、００２、００３の３０００円分の論理マネー取引単位が転送され、この論理マネー口座の残りの論理マネー取引単位は無しの状態になる。この後、預り金返却機１３は３０００円分の現金を払い出す。
【０１２０】
次に、図４に示したＩＣコイン用台間玉貸出機１７の現金識別機４１に現金を投入して遊技を行う場合について説明する。この場合、ＩＣコイン精算部６１は、ＩＤコード＝２０１のＩＣコインを保持しているものとする。
【０１２１】
遊技者が現金識別機４１に１００００円の現金を入金した場合、ＩＣコイン精算部６１が保持するＩＤコード＝２０１のＩＣコインの論理マネー口座には、１０個の１０００円単位の論理マネーが記憶管理される。１０個の取引単位毎の論理マネーには、それぞれ例えばＩＤコード＝３０１、３０２、３０３、３０４…３１０を有している。
【０１２２】
論理マネー管理装置８０は、ＩＤコード＝２０１のＩＣコインが現在使用中であることを示すフラグを立て、ＩＤコード＝２０１のＩＣコインの論理マネー口座は、取引単位毎の論理マネーを転送可能な状態となる。
【０１２３】
次に、玉貸しボタン３４が７回オン操作されると、ＩＣコイン用台間玉貸出機１７から７０００円分のパチンコ玉が排出される。
【０１２４】
ＩＤコード＝２０１のＩＣコインの論理マネー口座からは、７０００円分の取引単位毎の論理マネーがＩＣコイン用台間玉貸出機１７に転送され、この論理マネー口座の残りの取引単位毎の論理マネーはシリアル番号データ＝３０１、３０２、３０３の３個となる。
【０１２５】
ＩＣコイン返却ボタン３５がオン操作されると、ＩＤコード＝２０１のＩＣコインの論理マネー口座の論理マネーは、そのままの状態を維持し、論理マネー取引処理部７１は、ＩＣコイン精算部６１が保持しているＩＤコード＝２０１のＩＣコインをＩＣコイン排出口３８（図３参照）に排出させる。ＩＣコイン排出口３８（図３参照）内のＩＣコインは遊技者により取り出される。
【０１２６】
この後、遊技者が預り金返却機１３（図１参照）にＩＤコード＝２０１のＩＣコインを投入すると、ＩＤコード＝２０１のＩＣコインの論理マネー口座からシリアル番号データ＝３０１、３０２、３０３の３０００円分の取引単位毎の論理マネーが転送され、この論理マネー口座には、残りの論理マネーが無しの状態になる。預り金返却機１３（図４参照）は３０００円分の現金を払い出す。
【０１２７】
次に、遊技者が図４に示したＩＣコイン用台間玉貸出機１７に二つのＩＣコインを投入して遊技を行う場合を説明する。
【０１２８】
ここで、ＩＤコード＝４０１のＩＣコインの論理マネー口座には、１０個の１０００円単位（取引単位）の論理マネーが有しており、これら１０個の取引単位毎の論理マネーには、それぞれ例えばシリアル番号データ＝５０１、５０２、５０３、５０４…５１０を有しているものとする。
【０１２９】
ＩＤコード＝４０２のＩＣコインの論理マネー口座には、１０個の１０００円単位の論理マネーが有しており、これら１０個の取引単位毎の論理マネーには、それぞれ例えばシリアル番号データ＝６０１、６０２、６０３、６０４…６１０を有しているものとする。
【０１３０】
遊技者がＩＣコイン用台間玉貸出機１７にＩＤコード＝４０１、４０２のＩＣコインを続けて投入すると、論理マネー管理装置８０（図４参照）は、このＩＤコード４０１、４０２のＩＣコインが現在使用中であることを示すフラグを立て、ＩＤコード＝４０１、４０２のＩＣコインの論理マネー口座は、取引単位毎の論理マネーを転送可能な状態になる。
【０１３１】
この後、遊技者が玉貸しボタン３４を７回オン操作すると、ＩＣコイン用台間玉貸出機１７から７０００円分のパチンコ玉が排出される。
【０１３２】
これにより、ＩＤコード＝４０１のＩＣコインの論理マネー口座からは７０００円分の取引単位毎の論理マネーがＩＣコイン用台間玉貸出機１７に転送され、この論理マネー口座の残りの取引単位毎の論理マネーはシリアル番号データ＝５０１、５０２、５０３の３個となる。
【０１３３】
一方、ＩＤコード＝４０２のＩＣコインの論理マネー口座は、論理マネーの転送が行われず、この論理マネー口座の残りの取引単位毎の論理マネーはシリアル番号データ＝６０１、６０２、６０３、６０４…３１０の１０個となる。
【０１３４】
ＩＣコイン返却ボタン３５がオン操作されると、ＩＣコイン精算部６１が保持しているＩＣコインのＩＤコード＝４０９を読み出し、ＩＤコード＝４０１、４０２のＩＣコインの論理マネー口座の取引単位毎の論理マネーは、ＩＤコード＝４０９のＩＣコインの論理マネー口座に転送される。論理マネー取引処理部７１は、ＩＣコイン精算部６１が保持しているＩＤコード＝４０９のＩＣコインをＩＣコイン排出口３８（図３参照）に排出させる。
【０１３５】
預り金返却機１３にＩＤコード＝４０９のＩＣコインを投入すると、ＩＤコード＝４０９のＩＣコインの論理マネー口座からシリアル番号データ＝５０１、５０２、５０３、６０１、６０２、６０３、６０４…６１０の１３０００円分の取引単位毎の論理マネーが転送され、この論理マネー口座の残りの論理マネーは無しの状態になる。預り金返却機１３は１３０００円分の現金を払い出す。
【０１３６】
本実施形態によれば、有価価値を示す情報である論理マネーを所定の取引単位に分割し、分割した各論理マネーにそれぞれ固有の識別データを付与して論理マネー口座に記憶し管理することで、論理マネーの取引における正当性を確保することが可能になる。例えば価値情報に係るデータの送受信を行う貸出機と管理コンピュータとの間で異常が発生した場合、どの取引の段階でデータに異常が発生したかトレースして特定することができ、不正な行為を防止することができ、遊技媒体払出装置における論理マネーの取引に対して透明性を確保し正当性を証明できる。
【０１３７】
すなわち、貸出機（１７）と管理コンピュータ（８０）との間で、送り出した論理マネーの金額と、受け取り側の金額の合計値とに差異が発生した場合であっても、管理コンピュータが保持する例えば図５に示される論理マネーＤＢ８１における預り金の記録と、取引履歴ファイル８２において取引毎に記録した入出金の記録を識別データ（シリアル番号）に基づいて照合することにより、どの取引において異常が発生したか特定することが可能となる。
【０１３８】
また、ユニークな識別データで取引毎の確認が行なわれるため、例えば、伝送路上の事故により破壊された論理マネーのデータ修復が可能となる。また、送り出し側の事故により誤って重複的に送り出された論理マネーも、受け取り側でその識別データが同一のものであると確認できれば、当該論理マネーの重複受信処理が回避され、適正な取引が維持されることとなる。
【０１３９】
また、本実施形態では、取引単位毎の論理マネーの発行、論理マネー口座の移動及び精算の日時及び使用された機器のデータは、シリアル番号データ毎に個別に取引履歴ファイル８２に記録されている。このため、取引単位毎の論理マネーの全ての取引に対して日時及び使用された機器のデータから取引中の人物を撮影した監視カメラ１８、１９、２０、２１の画像を即座に再生することができる。ここで、ＩＣコインの他人への貸し出し譲渡を禁止しておけば、不正なＩＣコインを使用する場合、取引単位毎の論理マネーの発行を行う際に入金した人物に対して玉貸しボタン３４を操作した人物や預り金返却機１３で現金の返却を受けた人物が異なることになる。即ち、現在の取引されている取引単位毎の論理マネーに対して最初に取引を行った時の画像を呼び出して現在の取引単位毎の論理マネーの取引を行っている人物と比べれば、容易に不正なＩＣコインの使用をチェックすることができる。ここで、取引単位毎の論理マネーにシリアル番号データを付けることなく論理マネーの発行を行う際に入金した人物を特定する場合、ＩＣコインの取引履歴全体から検索して最初にＩＣコインを使用した日時を判定することになるので、時間がかかり、不正を行った人物を見失う可能性が高くなる。このため、本実施形態では、論理マネー取引単位毎にシリアル番号データを付けている。
【産業上の利用可能性】
【０１４０】
本発明は、ＩＣコイン用の遊技媒体貸出システムに限らず、ＩＣカード等の他の情報記憶媒体を介した景品等の販売装置にも応用できることが考えられる。
【図面の簡単な説明】
【０１４１】
【図１】図１は、本発明の一実施形態による遊技媒体貸出システムの全体構成を示すブロック図である。
【図２】図２は、本発明の一実施形態によるＩＣコイン用台間玉貸出機の正面図である。
【図３】図３は、本発明の一実施形態によるＩＣコイン用台間玉貸出機の断面図である。
【図４】図４は、本発明の一実施形態によるＩＣコイン用台間玉貸出機と店舗設備のブロック図である。
【図５】図５は、本発明の一実施形態による論理マネーデータベースを詳細に説明する説明図である。
【図６】図６は、本発明の一実施形態による遊技媒体貸出システムの預り金両替機に現金を入金した場合の論理マネーの処理について説明する説明図である。
【図７】図７は、本発明の一実施形態による遊技媒体貸出システムの玉貸しボタンがオン操作された場合の論理マネーの処理について説明する説明図である。
【図８】図８は、本発明の一実施形態による遊技媒体貸出システムのＩＣコイン返却ボタンがオン操作された場合の論理マネーの処理について説明する説明図である。
【図９】図９は、本発明の一実施形態による遊技媒体貸出システムのＩＣコイン預り金返却機にＩＣコインが投入された場合の論理マネーの処理について説明する説明図である。
【符号の説明】
【０１４２】
１…遊技媒体貸出システム、２…管理センター、
３…ホストコンピュータ、１０…遊技場、１１…店舗設備、
１２…預り金両替機、１３…預り金返却機、１４…スロットマシン、
１５…ＩＣコイン用台間メダル貸出機、１６…パチンコ機、
１７…ＩＣコイン用台間玉貸出機、
１８、１９、２０、２１…監視カメラ、
３０…ＩＣコイン、３１…筐体、３２…現金投入口、
３３…ＩＣコイン投入口、３４…玉貸しボタン、
３５…ＩＣコイン返却ボタン、３６…ＩＣコイン残高表示部、
３７…回動孔、３８…ＩＣコイン排出口、３９…受け皿、
４０…ノズル部材、４１…現金識別機、４２…ＩＣコイン通路、
４３…遊技球払出手段、５１…ＩＣコイン受入部、
５２…アンテナコイル、５３…ロータ、６１…ＩＣコイン精算部、
６２…アンテナコイル、６３…ロータ、
７１…論理マネー取引処理部、７２…払出制御手段、
８０…論理マネー管理装置、８１…論理マネーＤＢ、
８２…取引履歴ファイル、９０…ホールコンピュータ
【図１】
2006149526.tif 000003
【図２】
2006149526.tif 000004
【図３】
2006149526.tif 000005
【図４】
2006149526.tif 000006
【図５】
2006149526.tif 000007
【図６】
2006149526.tif 000008
【図７】
2006149526.tif 000009
【図８】
2006149526.tif 000010
【図９】
2006149526.tif 000011